(57)【要約】【課題】径の異なった複数種類のソケットに対応することができ、いずれのソケットに対してもねじ込み式で簡単に装着することができ、商品の共用化も可能となる口金型ランプを提供する。【解決手段】ランプ本体１にねじ込み式の口金体２を突設してなる口金型ランプにおいて、大径口金部３の先端部分に小径口金部４を同軸で突出させて、口金体２を先端側が小径となった階段状に突設し、小径口金部４を大径口金部３内に後退収容自在となした。【選択図】　　　　　図１
2004030994.tif 000002
【特許請求の範囲】
【請求項１】
ランプ本体にねじ込み式の口金体を突設してなる口金型ランプであって、大径口金部の先端部分に小径口金部を同軸で突出させて、口金体を先端側が小径となった階段状に突設し、小径口金部を大径口金部内に後退収容自在となした口金型ランプ。
【請求項２】
小径口金部を突出方向に付勢する弾性体を口金体内に納めたことを特徴とする請求項１記載の口金型ランプ。
【請求項３】
大径口金部の先端部分に小径口金部が進退自在に挿通される開口を形成し、この開口の口縁フランジに小径口金部の基端部分外周に突出形成したフランジ片が弾性体の付勢力によって当接されるようになしたことを特徴とする請求項２記載の口金型ランプ。
【請求項４】
大径口金部内に弾性体としてコイルスプリングを収納し、このコイルスプリングの先端をフランジ片に圧接させることで、小径口金部を突出方向に付勢させたことを特徴とする請求項３記載の口金型ランプ。
【請求項５】
口縁フランジにフランジ片が当接されることで、大径口金部と小径口金部とが電気的に接続されるようになしたことを特徴とする請求項３又は４記載の口金型ランプ。
【発明の詳細な説明】
【０００１】
【発明の属する技術分野】
本発明は、ランプ本体にねじ込み式の口金体を突設してなり、主として照明用の光源として用いられる口金型ランプに関するものである。
【０００２】
【従来の技術】
従来から、ランプ本体にねじ込み式の口金体を突設してなる口金型ランプが一般に知られており、この場合、ねじ込み式の口金体には径の違いによって複数の種類が存在する。そして、従来の口金型ランプにあっては、ランプ本体に一種類の口金体が突設されており、この口金体と同径の受金体を有するソケットに装着されるものであった。例えば、商用電源から電力供給を受けて点灯する口金型ランプには、白熱灯や電球形蛍光灯があり、各々、Ｅ１７口金のものとＥ２６口金のものとが存在する。
【０００３】
これ等の口金型ランプは、各々、同径の受金体を有するソケットを備えた照明器具にしか使用することができないものであった。更に、近年、複数の負荷に対応したマルチバラストが増加しており、又、海外とは径の種類が異なる。これ等に対応ため、径が異なる複数種類の受金体に対応して装着し得る口金型ランプの需要が予測されるところである。又、径の異なった口金体を有する口金型ランプを複数種類品揃えするには、品種増や商品管理の複雑化につながることから問題があった。
【０００４】
ところで、特開昭６３−１５８７０７号公報には、口金取付体及びこれを用いた電球口金型蛍光ランプが開示されている。この場合、口金取付体はねじ込み式の口金体とバイヨネット式の口金体とに対して兼用することができ、これによって、同口金取付体の金型製作コストの低減及び部品の共用化によるコストダウンが可能となる。しかしながら、この電球口金型蛍光ランプでは、径が異なる受金体を有した複数種類のソケットには対応することができず、前記問題を解決することはできないものである。
【０００５】
【発明が解決しようとする課題】
本発明は、上記従来の技術における問題を解決するために発明されたものであり、すなわち、その課題は、径の異なった複数種類のソケットに対応することができ、いずれのソケットに対してもねじ込み式で簡単に装着することができ、商品の共用化も可能となる口金型ランプを提供することである。
【０００６】
【課題を解決するための手段】
本発明の請求項１記載の口金型ランプは、ランプ本体にねじ込み式の口金体を突設してなる口金型ランプであって、大径口金部の先端部分に小径口金部を同軸で突出させて、口金体を先端側が小径となった階段状に突設し、小径口金部を大径口金部内に後退収容自在となしたものである。
【０００７】
したがって、この場合、小径口金部が大径口金部の先端部分から突出された状態で、同小径口金部を径の小さなソケットの受金体にねじ込んで装着することができる。そして、大径口金部を径の大きなソケットの受金体にねじ込んで装着する際には、同大径口金部内に小径口金部が後退収容された状態となり、支障なく装着することができる。このように、受金体の径が異なった複数種類のソケットに共用して対応することができ、いずれのソケットに対しても小径口金部或いは大径口金部を受金体にねじ込んで簡単に装着することができ、商品の共用化も図られることとなる。
【０００８】
本発明の請求項２記載の口金型ランプは、上記請求項１記載の口金型ランプにおいて、小径口金部を突出方向に付勢する弾性体を口金体内に納めたことを特徴とするものである。
【０００９】
したがって、この場合は特に、口金体内の弾性体によって小径口金部が突出方向に付勢されるので、この小径口金部をソケットの受金体にねじ込んで装着する際に、同小径口金部は大径口金部内に後退しないよう保持されて、容易にねじ込んで装着することができる。しかも、大径口金部をソケットの受金体にねじ込んで装着した際には、弾性体の付勢力によって、小径口金部先端の中心接点がソケット内の中心接片に押圧され、両者間の接触は常に安定したものとなり、確実な電気的接続状態を得ることができ、又、大径口金部とソケットの受金体との間のねじ係合部分に同付勢力が接触圧力として作用し、両者間の接触が安定して確実な電気的接続状態が得られるだけでなく、同ねじ係合部分でのがたつきも防止され、口金体は抜け外れることなく確実に装着接続される。
【００１０】
本発明の請求項３記載の口金型ランプは、上記請求項２記載の口金型ランプにおいて、大径口金部の先端部分に小径口金部が進退自在に挿通される開口を形成し、この開口の口縁フランジに小径口金部の基端部分外周に突出形成したフランジ片が弾性体の付勢力によって当接されるようになしたことを特徴とするものである。
【００１１】
したがって、この場合は特に、小径口金部が大径口金部の先端部分に形成された開口に挿通されて支障なく進退するものであり、小径口金部が突出された状態で、この小径口金部の基端部分外周に突出形成されたフランジ片が前記開口の口縁フランジに弾性体の付勢力によって当接されるので、同小径口金部は大径口金部の開口から抜け外れることがなく、又、この小径口金部をソケットの受金体にねじ込んで装着した際に、大径口金部及びランプ本体が同ソケットに対しがたついたり振れ動いたりし難くなって、安定した装着保持状態が得られる。
【００１２】
本発明の請求項４記載の口金型ランプは、上記請求項３記載の口金型ランプにおいて、大径口金部内に弾性体としてコイルスプリングを収納し、このコイルスプリングの先端をフランジ片に圧接させることで、小径口金部を突出方向に付勢させたことを特徴とするものである。
【００１３】
したがって、この場合は特に、大径口金部内に弾性体として収納されるコイルスプリングの先端がフランジ片に圧接されるので、このコイルスプリングによる付勢力が小径口金部に対して効率的に作用し、しかも、同弾性体としてのコイルスプリングは大径口金部内で納まり良くコンパクトに収納設置される。
【００１４】
本発明の請求項５記載の口金型ランプは、上記請求項３又は４記載の口金型ランプにおいて、口縁フランジにフランジ片が当接されることで、大径口金部と小径口金部とが電気的に接続されるようになしたことを特徴とするものである。
【００１５】
したがって、この場合は特に、ランプ本体から導出されるリード線を大径口金部に接続しておけば、口縁フランジにフランジ片が当接されることで、同大径口金部と小径口金部とが電気的に接続されるので、小径口金部、大径口金部のいずれをソケットの受金体にねじ込んで装着した際にも、この受金体との間で電気的接続状態となり、口金体内における配線を簡略化することができる。
【００１６】
【発明の実施の形態】
図１〜６は、本発明の請求項１〜５全てに対応する一実施形態を示し、この実施形態の口金型ランプは、ランプ本体１にねじ込み式の口金体２を突設してなる口金型ランプであって、大径口金部３の先端部分に小径口金部４を同軸で突出させて、口金体２を先端側が小径となった階段状に突設し、小径口金部４を大径口金部３内に後退収容自在となしたものである。そして、小径口金部４を突出方向に付勢する弾性体５を口金体２内に納めている。
【００１７】
この場合、大径口金部３の先端部分に小径口金部４が進退自在に挿通される開口６を形成し、この開口６の口縁フランジ７に小径口金部４の基端部分外周に突出形成したフランジ片８が弾性体５の付勢力によって当接されるようになしている。又、大径口金部３内に弾性体５としてコイルスプリング９を収納し、このコイルスプリング９の先端をフランジ片８に圧接させることで、小径口金部４を突出方向に付勢させている。そして、口縁フランジ７にフランジ片８が当接されることで、大径口金部３と小径口金部４とが電気的に接続されるようにもなしてもいる。
【００１８】
以下、この実施形態の口金型ランプの具体的構造について詳細に説明する。ランプ本体１としては白熱灯が用いられているが、電球形蛍光灯であっても良いものであり、同ランプ本体１にはリード線（図示せず）が口金体２内へと導出される。口金体２は大径口金部３と小径口金部４とでなり、いずれも導電性を有する金属で略円筒状に形成され、その各外周には雄ねじが設けられており、大径口金部３の基端部分が前記ランプ本体１に結合固着されている。この場合は、大径口金部３がＥ２６口金に相当する形状で、小径口金部４がＥ１７口金に相当する形状である。
【００１９】
大径口金部３の先端部分には小径口金部４の外径寸法と略等しいか若干大きめの円形状の開口６が形成されており、この開口６に同小径口金部４は進退できるよう摺動自在に係合されている。小径口金部４の先端部分の中心には中心接点１０が設けられ、同小径口金部４の基端部分外周には外方へ折曲したフランジ片８が形成されており、このフランジ片８は同小径口金部４が大径口金部３からその略全体が突出された状態で、同大径口金部３の前記開口６の口縁フランジ７に当止される。
【００２０】
大径口金部３内には小径口金部４と略等しい径を有した弾性体５とされるコイルスプリング９が収納されており、このコイルスプリング９は前記フランジ片８と同大径口金部３の基端板１１との間に介在設置されている。この場合、コイルスプリング９は無負荷状態で大径口金部３の突出方向長さ寸法よりも長いものであり、図５に示す如く、フランジ片８が口縁フランジ７に当接された状態で、両者を相互に圧接させる弾性復元力を有している。又、図６に示す如く、小径口金部４の略全体が大径口金部３内に押し込まれて収容された状態では、コイルスプリング９は強く圧縮され、前記弾性復元力よりも大きな付勢力で同小径口金部４を大径口金部３から押し出そうと作用する。
【００２１】
前記ランプ本体１から導出された二本のリード線のうち、一方は大径口金部３に溶接等で電気的に接続され、他方は小径口金部４の前記中心接点１０に溶接等で電気的に接続される。この場合、小径口金部４の雄ねじが設けられた部分と中心接点１０とは電気的に絶縁されており、両リード線を介してランプ本体１へと電源供給される。なお、口金体２内に点灯回路が収容される場合には、この点灯回路を介して前記リード線が配線接続されても良い。このように、口金体２内にはランプ本体１のリード線等が収納配線される。
【００２２】
そして、図５、６に示す如く、この実施形態の口金型ランプは、二種類のソケット１２に装着され得るものである。いずれのソケット１２も、その内周に雌ねじを有する受金体１３を備え、その内底面に中心接片１４を備えている。受金体１３の雌ねじには前記口金体２の雄ねじが螺合されて相互に電気的に接続され、中心接片１４には前記口金体２の中心接点１０が接触されて相互に電気的に接続される。この場合、図５に示したソケット１２はＥ１７受金ソケットであり、図６に示したソケットはＥ２６受金ソケットである。
【００２３】
図５に示す如く、小径のソケット１２に装着される場合には、このソケット１２の小径の受金体１３にこれと対応する口金体２の小径口金部４がねじ込んで装着される。この場合、小径口金部４はその略全体が大径口金部３の開口６から突出した状態にあり、この状態は弾性体５となるコイルスプリング９の弾性復元力により安定したものとして保持されている。すなわち、コイルスプリング９の付勢力によって小径口金部４のフランジ片８が大径口金部３の開口６の口縁フランジ７に圧接され、同小径口金部４と大径口金部３とは相互にがたつきかないように係合されて、この大径口金部３がソケット１２に螺合保持される同小径口金部３に対して振れ動き難いものである。
【００２４】
又、図６に示す如く、大径のソケット１２に装着される場合には、このソケット１２の大径の受金体１３にこれと対応する口金体２の大径口金部３がねじ込んで装着される。この場合、小径口金部４は受金体１３と螺合することなくソケット１２内に挿入され、この小径口金部４の先端の中心接点１０が同ソケット１２内の中心接片１４に当止され、この状態で、大径口金部３が同受金体１３に螺合され同ソケット１２内にねじ込まれて装着される。その際、小径口金部４は弾性体５となるコイルスプリング９の付勢力に抗して大径口金部３内へと後退収容され、同コイルスプリング９の弾性復元力が前記中心接点１０と中心接片１４との接触部分及び前記大径口金部３と受金体１３との螺合部分に作用する。
【００２５】
したがって、この実施形態の口金型ランプにおいては、小径口金部４が大径口金部３の先端部分から突出された状態で、同小径口金部４を径の小さなソケット１２の受金体１３にねじ込んで装着することができる。そして、大径口金部３を径の大きなソケット１２の受金体１３にねじ込んで装着することができ、その際には、同大径口金部３内に小径口金部４が後退収容された状態となり、支障なく装着することができる。このように、受金体１３の径が異なった二種類のソケット１２に共用して対応することができ、いずれのソケット１２に対しても小径口金部４或いは大径口金部３を受金体１３にねじ込んで簡単に装着することができ、商品の共用化も図られる。
【００２６】
又、この場合、口金体２内の弾性体５によって小径口金部４が突出方向に付勢されるので、この小径口金部４をソケット１２の受金体１３にねじ込んで装着する際に、同小径口金部４は大径口金部３内に後退しないよう保持されて、容易にねじ込んで装着することができる。しかも、大径口金部３をソケット１２の受金体１３にねじ込んで装着した際には、弾性体５の付勢力によって、小径口金部４先端の中心接点１０がソケット１２内の中心接片１４に強く押圧され、両者間の接触は常に安定したものとなって、確実な電気的接続状態を得ることができ、又、大径口金部３とソケット１２の受金体１３との間のねじ係合される螺合部分に同付勢力が接触圧力として作用することで、両者間の接触が安定して確実な電気的接続状態が得られるだけでなく、同螺合部分でのがたつきも防止され、口金体２はランプ本体１と共にソケット１２に対し抜け外れないよう確実に装着接続される。
【００２７】
更に、この実施形態の口金型ランプにおいては、小径口金部４が大径口金部３の先端部分に形成された開口６に挿通されて支障なく進退するものであり、小径口金部４が突出された状態で、この小径口金部４の基端部分外周に突出形成されたフランジ片８が前記開口６の口縁フランジ７に弾性体５の付勢力によって当接されるので、同小径口金部４は大径口金部３の開口６から抜け外れることがなくなり、又、この小径口金部４をソケット１２の受金体１３にねじ込んで装着した際には、大径口金部３及びランプ本体１が同ソケット１２に対しがたついたり振れ動いたりし難くなって、安定した装着保持状態が得られる。
【００２８】
又、ここでは、大径口金部３内に弾性体５として収納されるコイルスプリング９の先端がフランジ片８に圧接されるので、このコイルスプリング９による付勢力は小径口金部４に対して効率的に作用するものであり、しかも、同弾性体５としてのコイルスプリング９は大径口金部３内で納まり良くコンパクトに収納設置されている。又、ランプ本体１から導出される一方のリード線は大径口金部３に接続され、他方のリード線は小径口金部４の中心接点１０に接続されており、口縁フランジ７にフランジ片８が当接されることによって、同大径口金部３と小径口金部４とが電気的に接続されるので、小径口金部４、大径口金部３のいずれをソケット１２の受金体１３にねじ込んで装着した際にも、この受金体１３との間で電気的に接続された状態となり、口金体２内における配線接続が簡略化される。
【００２９】
【発明の効果】
上述の如く、本発明の請求項１記載の口金型ランプにおいては、径の異なった複数種類のソケットに共用して対応することができ、いずれのソケットに対しても小径口金部或いは大径口金部をねじ込んで簡単に装着することができ、商品の共用化も図られる。
【００３０】
又、本発明の請求項２記載の口金型ランプにおいては、特に、小径口金部をソケットに装着する際に、同小径口金部は大径口金部内に後退せず、容易に装着され、しかも、大径口金部をソケットに装着した際には、確実な電気的接続状態が得られ、がたつきや抜け外れも防止されて、確実に装着接続される。
【００３１】
又、本発明の請求項３記載の口金型ランプにおいては、特に、小径口金部が大径口金部の開口に挿通されて支障なく進退し、この開口から抜け外れることもなく、しかも、同小径口金部をソケットに装着した際に、大径口金部及びランプ本体ががたついたり振れ動いたりし難くて、安定した装着保持状態が得られる。
【００３２】
又、本発明の請求項４記載の口金型ランプにおいては、特に、弾性体としてのコイルスプリングによる付勢力が小径口金部に対し効率的に作用し、しかも、同弾性体としてのコイルスプリングは大径口金部内で納まり良くコンパクトに収納設置される。
【００３３】
又、本発明の請求項５記載の口金型ランプにおいては、特に、口縁フランジにフランジ片が当接されることで、大径口金部と小径口金部とが電気的に接続されて、同大径口金部、小径口金部のいずれをソケットに装着した際にも、電気的接続状態となり、口金体内における配線を簡略化することができる。
【図面の簡単な説明】
【図１】本発明の一実施形態である口金型ランプを示す正面図。
【図２】同口金型ランプを示す（ａ）（ｂ）各々異なる動作状態での正面図。
【図３】同口金型ランプを示す分解斜視図。
【図４】同口金型ランプの要部を示す正面図。
【図５】図４のＸ−Ｘ断面においてソケットに装着された状態を示す要部断面図。
【図６】同口金型ランプが異なるソケットに装着された状態を示す要部断面図。
【符号の説明】
１　ランプ本体
２　口金体
３　大径口金部
４　小径口金部
５　弾性体
６　開口
７　口縁フランジ
８　フランジ片
９　コイルスプリング
【図１】
2004030994.tif 000003
【図２】
2004030994.tif 000004
【図３】
2004030994.tif 000005
【図４】
2004030994.tif 000006
【図５】
2004030994.tif 000007
【図６】
2004030994.tif 000008